(57)【要約】【課題】  同一の輸送容器により各種形態の内容物を損傷なく輸送できるようにする。【解決手段】  上部が開放された箱型の下部容器２と下部が開放された箱型の上部容器３とからなり互いの嵌合により内部に内容物８を収容するための収容室を区画するコンテナー本体１と、下部容器２に嵌合された上部容器３を下部容器２に固縛する固縛手段(結束ベルト２ｅ，２ｅ)と、前記内容物８を挟んで上下に配置され内容物８の移動を規制しながら外側から内側への衝撃力を緩衝する発泡樹脂製の下部パッキン５と上部パッキン６と、これらパッキン５，６の互いの対峙面部の少なくとも一方を分割する複数のスリットＳ１(Ｓ２)を設ける。【選択図】      図１
0003104135.tif 000002
【実用新案登録請求の範囲】
【請求項１】
上部が開放された箱型の下部容器と下部が開放された箱型の上部容器とからなり、互いの嵌合により内部に内容物を収容するための収容室を区画するコンテナー本体と、前記下部容器に嵌合された前記上部容器を下部容器に固縛する固縛手段と、前記内容物を挟んで上下に配置され前記内容物の移動を規制しながらこの内容物に対する外力を緩衝するための発泡樹脂製の上下一対のパッキンとを具えたコンテナーであって、前記一対のパッキンの少なくともいずれか一方に、内容物の没入を助長すべくスリットを設けたことを特徴とするコンテナー。
【請求項２】
上部が開放された箱型の下部容器と下部が開放された箱型の上部容器とからなり、互いの嵌合により内部に内容物を収容するための収容室を区画するコンテナー本体と、前記下部容器に嵌合された前記上部容器を下部容器に固縛する固縛手段と、前記内容物を挟んで上下に配置され前記内容物の移動を規制しながらこの内容物に対する外力を緩衝するための発泡樹脂製の上下一対のパッキンとを具えたコンテナーであって、前記一対のパッキンの少なくともいずれか一方に、内容物の没入を助長すべく突出部を全面に及んで複数並設したことを特徴とするコンテナー。
【請求項３】
縦、横いずれの寸法も前記下部容器の深さよりも長く、常時は下部容器の底と下方のパッキンとの間に敷設されている一対の中敷であって、前記下部容器の側壁に沿わせた状態でその長手方向の一端が前記下部容器の底に支持されたときは、他端に上部容器の天井を支持させて前記収容室の容積を最大容積に設定し、さらに、短手方向の一端が前記下部容器の底に支持されたときは他端に上部容器の天井を支持させて前記収容室の容積を中間容積に設定するように形成された一対の中敷を備えた請求項１又は２記載のコンテナー。
【考案の詳細な説明】
【技術分野】
【０００１】
本考案はコンテナーに関するものであり、特に、コンピュータ、ディスプレイ、液晶ディスプレイ、キーボード、プリンター、スキャナー、ＦＡＸ等の情報機器、テレビ、ビデオ、オーディオ等の家電機器、カメラ、時計、測定器等の精密機械、基板、テレビゲーム機、さらには、絵画、陶芸品、彫金、骨董品等の美術・工芸品、及びその他の内容物を損傷なく安全に輸送するためのコンテナーに関するものである。
【背景技術】
【０００２】
コンピュータ、ディスプレイ、キーボード等の情報機器、テレビ、ビデオ、オーディオ等の家電機器、その他、内容物を運搬するときは、梱包時及び運搬時の衝撃力を厳しく忌避して慎重に取り扱う必要があるため、メーカーサイドの出荷からエンドユーザーに至るまでの流通過程では発泡スチロール製等の保持部材に内容物を保持させて段ボール製の容器に個別荷造りして発送しているが、セット、収容、及び取り出しに手数がかかるとともに、容器コストが高くなるという難点がある。
【０００３】
また、エンドユーザーで一体成形により梱包を開いた後はその荷造り容器がそのまま廃却されるのが通常であるので、資材の大量消費と大量の産業廃棄物とがもたらされると懸念され、一方では、前記の家電機器、情報機器類を近い将来においてメーカがリサイクルをすることになるのでこの種の回収容器として利用できる輸送容器の開発も要請されている。
【０００４】
このため、図６に示されるように、コンテナー本体２１の底面部２２、側壁部２３、蓋２４及び搬送物としての家電機器２５の上面部及び底面部２２に、それぞれ発泡樹脂より成るパッキンＰ１，Ｐ２，Ｐ３を取り付け、コンテナー本体２１の底面部２２の対角部に家電機器２５を上方から抑え込むための結束ベルト２６，２６，２６，２６を取り付けたコンテナー装置が検討されている。
【０００５】
前記コンテナー本体２１の底面部２２のパッキンＰ１は、上方側から収容する家電機器２５を係合させて位置決めするよう家電機器２５の下部に対応させて形成されており、前記結束ベルト２６，２６，２６，２６と前記家電機器２５との間に介設されるパッキンＰ３，Ｐ３，Ｐ３，Ｐ３は、家電機器２５の前方上部と後方後部に載置された状態で、前記結束ベルト２６，２６，２６，２６の締め付けにより外側から抑え込むように構成され、さらに、前記コンテナー本体２１に蓋２４を嵌合した状態で外側から結束ベルト２８，２８，２８，２８により固縛するように構成される。
【考案の開示】
【考案が解決しようとする課題】
【０００６】
このため、図７に示すように、前記結束ベルト２６，２６，２６，２６の結束によって輸送物としての前記家電機器２５が上方側より抑え込まれると、各パッキンＰ１，Ｐ２，Ｐ３による緩衝作用により家電機器２５が移動及び損傷から保護され、安全な輸送が可能となるが、同一形状、同一寸法のコンテナー本体２１により、多種、多用の家電機器、コンピュータ等の情報機器を輸送するには、前記パッキンＰ１，Ｐ２，Ｐ３の形状及び配置を、都度、変更せざるを得ない。そこで、一種のコンテナー本体２１により各種の内容物を損傷なく輸送できるようにするために解決すべき技術的課題が生じるのであり、本考案はこの課題を解決することを目的とする。
【課題を解決するための手段】
【０００７】
請求項１記載の考案は、上部が開放された箱型の下部容器と下部が開放された箱型の上部容器とからなり、互いの嵌合により内部に内容物を収容するための収容室を区画するコンテナー本体と、前記下部容器に嵌合された前記上部容器を下部容器に固縛する固縛手段と、前記内容物を挟んで上下に配置され前記内容物の移動を規制しながらこの内容物に対する外力を緩衝するための発泡樹脂製の上下一対のパッキンとを具えたコンテナーであって、前記一対のパッキンの少なくともいずれか一方に、内容物の没入を助長すべくスリットを設けたコンテナーを提供するものである。
【０００８】
また、請求項２記載の考案は、上部が開放された箱型の下部容器と下部が開放された箱型の上部容器とからなり、互いの嵌合により内部に内容物を収容するための収容室を区画するコンテナー本体と、前記下部容器に嵌合された前記上部容器を下部容器に固縛する固縛手段と、前記内容物を挟んで上下に配置され前記内容物の移動を規制しながらこの内容物に対する外力を緩衝するための発泡樹脂製の上下一対のパッキンとを具えたコンテナーであって、前記一対のパッキンの少なくともいずれか一方に、内容物の没入を助長すべく突出部を全面に及んで複数並設したコンテナーを提供するものである。
【０００９】
さらに、請求項３記載の考案は、請求項１又は２記載のコンテナーにおいて、縦、横いずれの寸法も前記下部容器の深さよりも長く、常時は下部容器の底と下方のパッキンとの間に敷設されている一対の中敷であって、前記下部容器の側壁に沿わせた状態でその長手方向の一端が前記下部容器の底に支持されたときは、他端に上部容器の天井を支持させて前記収容室の容積を最大容積に設定し、さらに、短手方向の一端が前記下部容器の底に支持されたときは他端に上部容器の天井を支持させて前記収容室の容積を中間容積に設定するように形成された一対の中敷を備えたコンテナーを提供するものである。
【００１０】
すなわち、請求項１記載の考案によれば、一対のパッキンの少なくともいずれか一方に設けたスリットによって内容物の没入を助長する。このため、下部容器の底側と上部容器の天井側とにそれぞれ下方のパッキンと上方のパッキンとを配置し、下方のパッキンに内容物を載置した状態で、上方側から下部容器に上部容器を嵌合させて、上部容器の天井、上方のパッキン、内容物、下部パッキン、及び下部容器の底に均等に押し下げ力を作用させると、下方のパッキンの上面部及び上方のパッキンの下面部の少なくとも一方に内容物が没入し、没入の結果として生じた凹部に包み込まれる。従って、この状態を保持しながら固縛手段によって下部容器に上部容器を固縛すると、内容物は凹部の凹面に弾性的に保持される。なお、「スリット」とは、上下一対のパッキンの対峙面部の少なくともいずれか一方に設けられた所定深さの切れ目をいい、長孔は含まれていない。
【００１１】
また、請求項２記載の考案によれば、前記一対のパッキンの少なくともいずれか一方に内容物の没入を助長すべく突出部が全面に及んで複数並設されている。このため、下部容器の底板側と上部容器の天井とにそれぞれ下方のパッキンと上方のパッキンとを配置し、下方のパッキンに内容物を載置した状態で、上方側から下部容器に上部容器を嵌合させて、上部容器の天井、上方のパッキン、内容物、下部パッキン、及び下部容器の底に均等に押し下げ力を作用させると、内容物が前記突出部を下方に収縮させて没入し、没入の結果、生じた凹部に包み込まれる。従って、この状態を保持しながら固縛手段によって下部容器に上部容器を固縛すると、内容物は凹部の凹面、具体的には、収縮した突出部の上面と、収縮した突出部の外側に位置されている突出部の側面とに弾性的に保持される。
【００１２】
さらに、請求項３記載の考案では、一対の中敷を前記下部容器の側壁に沿わせた状態でその長手方向の一端を前記下部容器の底に支持し、他端に上部容器の天井を支持することによって前記収容室の容積を最大容積に設定し、短手方向の一端が前記下部容器の底に支持されたときは他端に上部容器の天井を支持させて前記収容室の容積を中間容積に設定し、さらに、一対の中敷を下部容器の底と下パッキンとの間に敷設することによって収容室の容積を最小に設定する。このため収容室容積の最大、中間、最小の範囲内で種々の大きさの内容物を輸送することができる。
【考案の効果】
【００１３】
(１)請求項１及び２記載の考案は、上下一対のパッキンにより内容物を全方位から包み  込んだ状態で弾性支持するために、内容物の形態に左右されず、誰でも簡単に内容物を  梱包することが可能となる。また、振動、衝撃に対してコンテナー本体内部で内容物が  弾性的に動揺されるだけなので、振動、衝撃力に対する内容物の損傷が防止される。こ  のため、輸送の品質を大幅に向上することができるという、正に、著大なる効果を発揮  する考案である。
(２)また、請求項３記載の考案は、コンテナー本体の容積を大・中・小の三段階に調節して種々の内容物を輸送できるようにしたから、高さの異なる種々の物の輸送に対応できるという、正に、著大なる効果を奏することができる考案である。
【考案を実施するための最良の形態】
【００１４】
以下、本考案の一実施の形態を図1乃至図５を参照して説明する。図１に本考案の一実施の形態に係るコンテナーの構成を示す。図示されるように、コンテナー本体１は下部容器２と上部容器３とからなり、下部容器２は内容物８を上方から収容するために上方に開口する箱型に形成され、上部容器３は、上方より前記下部容器２に嵌合されたとき内容物８を収容する収容室を区画すべく下方に開口した箱型に形成される。本実施の形態では、予め、２組の組立て樹脂板を折り曲げながら且つ、互いに組み合わせながら重合部のリベット止めによって組み立てられる。この場合、上部容器３の一対の側壁３ｂ，３ｂ及び下部容器２の一対の側壁２ｂ，２ｂはそれぞれ二重に、残りの側壁３ｃ，３ｃ，２ｃ，２ｃが一重となるよう組み立てられていて、下部容器２の２枚重ねの側壁２ｂ，２ｂに上部容器３の一重の側壁３ｃ，３ｃを沿わせて嵌合されたとき、コンテナー本体１の全ての側壁が三重に重ねられるようにしている。もちろん、前記下部容器２及び上部容器３を樹脂成形により一体形成し、結果として前記リベット止めを省略してもよいが、軽量で高強度が求められるときは、外皮と内皮との間に多数のリブを設けて補強した中空構造の樹脂板が用いられ、特殊な用途にはアルミニウム、ジュラルミン等の軽量で耐食性及び強度の高い金属板が用いられる。
【００１５】
そして、前記下部容器２の一対の側壁２ｃ，２ｃの外面に、搬送及び、取り扱いのため一対の吊部２ｄ，２ｄが取り付けられるとともに、他方の一対の側壁２ｂ，２ｂの外面に、下部容器２に上部容器３をガタツキなく固縛するための固縛手段として、一対の結束ベルト２ｅ，２ｅが取り付けられる。前記一対の結束ベルト２ｅ，２ｅの一方にはバックル２ｆが取り付けられ、他方にはこのバックル２ｆに係脱自在なタング２ｇが取り付けられていて、一対の結束ベルト２ｅ，２ｅをワンタッチで連結するように構成され、結束ベルト２ｅ，２ｅの少なくとも一方に、下部容器２に対する上部容器３の嵌合度に対応してベルト長を調節するための長さ調節リング２ｈが取り付けられる。
【００１６】
前記コンテナー本体１の内部、すなわち、前記内容物８に対する収容室には、前記内容物８の損傷を防止するため、内容物８を挟んで下方に下部パッキン５が配置され、上方に上部パッキン６が配置される。下部パッキン５及び上部パッキン６は、内容物８を弾性的に支持して外力を緩衝するため、それぞれゴム又は樹脂のスポンジ質発泡体、例えば、ポリプロピレン、ポリプロピレン系樹脂、又はウレタンなどのスポンジ質発泡体から形成される。前記下部パッキン５は、上部容器３の側壁３ｂ，３ｂ，３ｃ，３ｃを嵌合するための嵌合代を残して前記下部容器２の底２ｉのほぼ全面を覆うブロック状に形成され、上部パッキン６も下部容器２の側壁２ｂ，２ｂ，２ｃ，２ｃを嵌合するための嵌合代を残して前記上部容器３の天井３ｉのほぼ全面を覆うブロック状に形成される。
【００１７】
図１に示す如く、下部パッキン５のスリットＳ１，Ｓ１，…は、下部パッキン５の上面部５ａを格子状に分割し、上部パッキン６のスリットＳ２，Ｓ２，…は、上部パッキン６の下面部６ａを格子状に分割しており、分割の結果として、それぞれ独立して収縮することができる突出部５ｃ，５ｃ，…、６ｃ，６ｃ，…を形成している。このため、図２（ａ），(ｂ)に示される如く、内容物８の押圧による突出部５ｃ，５ｃ，…、６ｃ，６ｃ，…の収縮の結果として、前記下部パッキン５の上面部５ａ及び上部パッキン６の上面部６ａには、内容物８の大きさ、形状に対応した凹部Ｘ，Ｙが形成され、これら凹部Ｘ，Ｙに内容物８が弾性支持されることになる。もちろん、前記スリットＳ１，Ｓ１，…の底から下部パッキン５の下面までの厚さ、及び、スリットＳ２，Ｓ２，…の底から上部パッキン６の上面までの厚さは、内容物８に対する衝撃力を充分、緩衝できるよう外部からの最大衝撃力及び、内部に収容する内容物８の最大重量に対応させて設定される。
【００１８】
従って、図２(ｂ)に示される如く、下部パッキン５の上面部５ａに内容物８としてのディスプレイを下向きに載置し、下部容器２に上部容器３を嵌合させながら下方に押し下げて前記一方の結束ベルト２ｅのバックル２ｆと他方の結束ベルト２ｅのタング２ｇとの係合によって一対の結束ベルト２ｅ，２ｅを連結した状態では、内容物８は下部パッキン５の上面部５ａに結果的に形成された凹部Ｘと、上部パッキン６の下面部６ａに結果的に形成された凹部Ｙとに弾性的に保持されることになる。このため、輸送時、外側からコンテナー本体1に衝撃力が加えられたときは、コンテナー本体１の内部での下部パッキン５及び上部パッキン６の弾性的な収縮によって、衝撃力及びこれに起因する振動が緩衝され、内容物８は、上下の凹部Ｘ，Ｙに保持された状態でコンテナー本体１の内部で動揺する結果となり、動揺によるエネルギー消費、発砲樹脂の多数の孔に内包されている空気の圧縮によるエネルギーの消費により、内容物８に対する振動、衝撃力が緩衝される。よって、内容物８は損傷なく保護される。また、梱包に際しても、下部パッキン５の上面に内容物８を載置し、内容物８の上面に上部パッキン６を載置した後、下部容器２に上部容器３を嵌合した状態で上部容器３を押し下げながら一方の結束ベルト２ｅのバックル２ｆと他方の結束ベルト２ｅのタング２ｇとを係合するだけの簡単な操作で、誰でも梱包を完了できるので、梱包品質ならびに輸送時の信頼性を大幅に向上できる。
【００１９】
なお、下部パッキン５及び上部パッキン６の弾性係数は、下部パッキン５の上面部５ａ、上部パッキン６の上面部６ａに没入している内容物８が取り出されたとき、徐々に復帰する程度に決定してあり、また、上部パッキン６及び下部パッキン５の摩擦係数は、下部パッキン５の上面部５ａ及び上部パッキン６の下面部６ａに没入されたとき、その摩擦力によって内容物８の没入が維持される程度に定められる。
【００２０】
図３（ａ），（ｂ）は、ノート型、又はブック型、或いはラップトップ型と呼称されるポータブルコンピュータ９を前記内容物８としてこれを前記コンテナー本体１により輸送するときの収容方法を示す。図３（ａ）に示すように、ポータブルコンピュータ９，９，…は、液晶ディスプレイが上向きの状態で、下部パッキン５の上面部５ａと上部パッキン６の上面部６ａに埋没させて輸送するが、このような平面的レイアウトでは、一括搬送する台数は限られる。そこで、図３（ｂ）に示されるように、ポータブルコンピュータ９を垂直に立てた状態で下部パッキン５の上面部５ａ及び上部パッキン５の上面部６ａに没入させ、下部パッキン５の上面部５ａ及び上部パッキン５の上面部６ａにポータブルコンピュータ９，９，…を間隔を隔てて並設する。この結果、下部パッキン５の上面部５ａ、及び、上部パッキン６の下面部６ａのポータブルコンピュータ９，９，…との接触部は、下部パッキン５の上面部５ａ及び上部パッキン６の下面部６ａに没入し、下部パッキン５の上面部５ａ、及び、上部パッキン６の下面部６ａの没入しない部分は、各コンピュータ９，９，…を弾性支持して振動、及び衝撃力を緩衝するので、各コンピュータ９，９，…は、水平状態で梱包したとき((図３(ａ))と同様に振動及び衝撃力から保護される。従って、内容物８の梱包状態の変更や、空いている個所の活用によって、一度に、多数の内容物８の輸送が可能となり、物流における輸送物の搬送効率を向上させることができる。
【００２１】
なお、下部パッキン５、及び上部パッキン６の取り付けに際しては、下部容器２の底２ｉ、上部容器３の天井３ｉに直接、又は、マジックテープ（登録商標）(図示せず)を介して取り付けることも可能であるが、図１及び図２に示されるようにベニヤ板、あるいは軽量な樹脂の板１０に、直接又はマジックテープ(ファスナー)で貼り付けて配置してもよい。然るときは、コンテナー本体1の全体強度が向上し、下部容器２に対する上部容器３の嵌合性が向上するともに、コンテナー本体１に対する下部パッキン５、及び上部パッキン６の偏りも防止することができる。この場合、板１０にベニヤ板を用いると、ベニヤ板の表面はあれており、また、下部パッキン５、上部パッキン６は柔らかく、表面に発泡化による孔が全面に及んで多数存在していることから、板１０に下部パッキン５を載置し、上部パッキン６にベニヤ板を載置するだけで、上方のベニヤ板に下部パッキン５が食い付き、下方のベニヤ板に上部パッキン６が食い付く結果となる。このため、下方のベニヤ板と下部パッキン５、上方のベニヤ板と上部パッキン６との間に発生する摩擦力と食い付きにより、下部パッキン５は下方のベニヤ板に対して、上部パッキン６は上方のベニヤ板に対して離脱することなく、又、移動することなく保持される。従って、前記したように、梱包のために下部パッキン５、上部パッキン６が内容物８に押圧された状態では、下部パッキン５及び上部パッキン６は移動せず、本来の緩衝作用を発揮する。よって、前記板１０にベニヤ板を用いるときは、ファスナーあるいは接着材による接着は特に必要としないが、念のため、ファスナーあるいは接着材による接着を妨げるものではない。また、前記下部パッキン５のスリットＳ１，Ｓ１，…及び上部パッキン６のスリットＳ２，Ｓ２，…は、多様な形態の内容物８の輸送にも対応することができるようにするため、全体として格子状に形成する説明をしたが、内容物８を取り出した後の突出部５ｃ，５ｃ，…、６ｃ，６ｃ，…の復帰性をさらに良好にするには、図４に示されるように、格子状に分割された下部パッキン５の上面部５ａ、及び、上部パッキン６の下面部６ａの突出部５ｃ，５ｃ，…、６ｃ，６ｃ，…を、円柱ないしは楕円柱に形成してもよい。もちろん、図４に示される実施の形態では、前記突起部５ｃ，５ｃ，…、６ｃ，６ｃ，…は、前記下部パッキン５、上部パッキン６のパッキンの少なくともいずれか一方に、内容物の没入を助長すべく全面に及んで複数並設されるが、その形状は、円柱ないしは楕円柱に限定されるものではなく、下部パッキン５の上面、上部パッキン６のパッキンの下面に対して全体に波形に突出するように成形してもよい。よって、この場合も、各部５ｃ，５ｃ，…、６ｃ，６ｃ，…が、内容物８の前後左右の移動を規制しながら、前記凹部Ｘ、及び凹部Ｙを形成し、輸送時、外側からコンテナー本体1に加えられた衝撃力を緩衝し、内容物８を保護することになる。
【００２２】
また、本実施の形態にあっては、前記スリットＳ１，Ｓ１，…，スリットＳ２，Ｓ２，…により、下部パッキン５の上面部５ａ、上部パッキン６の上面部６ａに突出部５ｃ，５ｃ，…、６ｃ，６ｃ，…を形成する説明をしたが、内容物８に対する衝撃力を充分に緩衝できるよう、外部からの最大衝撃力及び、内部に収容する内容物の最大重量に対応して下部パッキン５及び上部パッキン6の高さ(厚さ)を決定するとともに、この下部パッキン５の上面、及び、上部パッキン６の下面とに、前記突出部５ｃ，５ｃ，…、６ｃ，６ｃ，…を一体形成することによって、前記実施の形態と同様の作用効果を得るようにしてもよい。
【００２３】
さらに、また、前記実施の形態においては、下部パッキン５と、上部パッキン６の双方に、それぞれ内容物８の没入を助長するための突出部５ｃ，５ｃ，…、６ｃ，６ｃ，…を設ける説明をしたが、片側一方に設けてもよい。この場合、一方のパッキンの突出部の高さは、内容物８に対する衝撃力を充分に緩衝できるよう、外部からの最大衝撃力及び、内部に収容する内容物の最大重量に対応した高さに設定され、他方のパッキンの突出部の高さは、内容物８を収容しない状態で、下部容器２に上部容器３が嵌合されたときに、一方と他方のパッキンとが互いに適宜圧力で接触する高さに設定される。
【００２４】
さらに、各種内容物の大きさに対応させてコンテナー本体１の容積を大・中・小の三段階に調節するには、図５に示されるように、一対の支持板１２，１２を用いるものとする。この場合、支持板１２，１２は、下部容器２の底２ｉと下部パッキン５の間に、中敷として敷設されていて、縦、横の長さが異なっており、縦、横いずれの寸法も下部容器２の深さよりも長くなっている。このため、下部容器２の底２ｉに支持板１２，１２を敷設した通常の状態では、コンテナー本体１の容積は上部容器３の側壁３ｂ，３ｂ，３ｃ，３ｃが下部容器２の底２ｉに当接する最小の容積となる。また、下部容器２の底２ｉに、一対の支持板１２，１２の長手方向の端面を当接させ且つ、下部容器２の側壁３ｂ，３ｂ，３ｃ，３ｃに沿わせた状態で一対の支持板１２，１２の長手方向の他端に上部容器３の天井３ｉを支持した状態では、コンテナー本体１の容積は最大の容積となる。また、下部容器２の底２ｉに一対の支持板１２，１２の短手方向の端面を当接させ且つ、下部容器２の側壁２ｂ，２ｂ，２ｃ，２ｃに沿わせた状態で一対の支持板１２，１２の短手方向の他端に上部容器３の天井３ｉを支持した状態では、コンテナー本体１の容積は中間の容積となる。従って、前記一対の支持板１２，１２による容積の変更に基づいて前記下部パッキン５及び上部パッキン６の高さを決定しておくと、大・中・小の各容積で内容物８を損傷なく輸送することができる。
【図面の簡単な説明】
【００２５】
【図１】本考案の一実施の形態を示し、コンテナーの分解斜視図である。
【図２】本考案の一実施の形態を示し、図２(ａ)は下部容器に対する内容物の収容状態を示す断面図、図２(ｂ)は上部容器及び下部容器よりなるコンテナー本体に対する内容物の収容状態を示す断面図である。
【図３】本考案の一実施の形態を示し、内容物としてポータブルコンピュータを格納した状態を示す断面図である。
【図４】本考案の一実施の形態を示し、下部パッキン及び上部パッキンの他の実施の形態を示す斜視図である。
【図５】本考案の一実施の形態を示し、中敷により容積を変更した実施の形態を示す断面図である。
【図６】従来例を示し、電気機器等を輸送するためのコンテナーを示す分解斜視図である。
【図７】従来例を示し、コンテナーの梱包状態を示す斜視図である。
【符号の説明】
【００２６】
１  コンテナー本体
２  下部容器
２ｅ，２ｅ  結束ベルト(固縛手段)
３  上部容器
５  下部パッキン(下方のパッキン)
５ａ  下部パッキンの上面部
６  上部パッキン(上方のパッキン)
６ａ  上部パッキンの下面部
８  内容物
９  ポータブルコンピュータ(内容物)
Ｓ１  スリット
Ｓ２  スリット
【図１】
0003104135.tif 000003
【図２】
0003104135.tif 000004
【図３】
0003104135.tif 000005
【図４】
0003104135.tif 000006
【図５】
0003104135.tif 000007
【図６】
0003104135.tif 000008
【図７】
0003104135.tif 000009